(57)【要約】      （修正有）【課題】大きなかみ合わせ力を得られるとともに、舗装用ブロック等にかかる荷重を適切に分散することができるブロック舗装方法、ブロック舗装構造及びブロック舗装用強化板を提供する。【解決手段】フィルター層の上部に路盤層を形成する路盤層形成工程と、前記路盤層の上部にサンドクッション層を形成するサンドクッション層形成工程と、前記サンドクッション層の上部にベース板と、ベース板の上面から上方に立設された目地板を有するブロック舗装用強化板を用いて舗装用ブロックを敷設するブロック敷設工程と、敷設された前記舗装用ブロック間の目地部に目地砂を充填する目地砂充填工程とで構成され、前記ブロック舗装用強化板の目地板は、敷設される舗装用ブロック間の目地部の幅を所定の幅にする位置決め部と、前記目地板の側部と前記舗装用ブロックの側面の間に目地砂を充填することができるように形成された傾斜面とで構成されることを特徴とする。【選択図】図１
2020070568.tif 000002
【特許請求の範囲】
【請求項１】
フィルター層の上部に路盤層を形成する路盤層形成工程と、前記路盤層を形成した後に、前記路盤層の上部にサンドクッション層を形成するサンドクッション層形成工程と、このサンドクッション層形成工程後に、前記サンドクッション層の上部にベース板と、該ベース板の上面から上方に立設された目地板を有するブロック舗装用強化板を用いて舗装用ブロックを敷設するブロック敷設工程と、このブロック敷設工程と同時又はブロック敷設工程後に、敷設された前記舗装用ブロック間の目地部に目地砂を充填する目地砂充填工程とで構成され、
前記ブロック舗装用強化板の目地板は、敷設される舗装用ブロック間の目地部の幅を所定の幅にする位置決め部と、前記目地板の側部と前記舗装用ブロックの側面の間に前記目地砂を充填することができるように形成された傾斜面とで構成されるブロック舗装方法。
【請求項２】
フィルター層と、該フィルター層の上部に形成された路盤層と、該路盤層の上部に形成されたサンドクッション層と、該サンドクッション層の上面に配置されたブロック舗装用強化板及び舗装用ブロックと、該舗装用ブロック間の目地部に充填された目地砂とで構成され、
前記ブロック舗装用強化板はベース板と目地板を有し、該目地板は、敷設される前記舗装用ブロック間の前記目地部の幅を所定の幅にする位置決め部と、前記目地板の側部と前記舗装用ブロックの側面の間に前記目地砂を充填することができるように形成された傾斜面とで構成されるブロック舗装構造。
【請求項３】
ブロック舗装を行う際に舗装用ブロックが上面に載置されるベース板と、このベース板に立設された目地板からなるブロック舗装用強化板において、
前記目地板は、敷設される前記舗装用ブロック間の目地部の幅を所定の幅にする位置決め部と、前記目地板の側部と前記舗装用ブロックの側面の間に目地砂を充填することができるように形成された傾斜面とで構成されるブロック舗装用強化板。
【請求項４】
前記目地板は、略等脚台形状の断面形状に形成されていることを特徴とする請求項３に記載のブロック舗装用強化板。
【請求項５】
前記目地板は、平面視において斜めに傾斜していることを特徴とする請求項３又は請求項４のいずれかに記載のブロック舗装用強化板。
【請求項６】
前記目地板は、平面視において略く字状に傾斜していることを特徴とする請求項３に記載のブロック舗装用強化板。
【発明の詳細な説明】
【技術分野】
【０００１】
本発明は道路等を舗装するブロック舗装方法、ブロック舗装構造及びブロック舗装の際に用いられる強化板に関する。
【背景技術】
【０００２】
従来、強化板を用いたブロック舗装方法や、強化板としては、「路盤層を形成した後、該路盤層の上部にサンドクッション層を形成する路盤形成工程と、この路盤形成工程後にサンドクッション層の上部に左右のブロックの底面に位置するベース板および該ベース板に設けた左右のブロック間に位置する目地板とからなるブロック舗装用強化板を用いてブロックを敷設するブロック敷設工程と、このブロック敷設工程と同時あるいは後で、敷設されたブロック間の目地部に目地砂を充填する目地砂充填工程とを含むことを特徴とするブロック舗装方法」や、「目地部を介して敷設される左右のブロックの底面に位置させることができるベース板と、このベース板に上方へ突出するように形成されたＴ字状の目地板とからなることを特徴とするブロック舗装用強化板」が知られている（特許文献１）。
しかしながら、このようなブロック舗装用強化板では、目地板が略隙間なく舗装用ブロックの側面と接しているものの、目地砂と接する場合と比べて摩擦力（かみ合わせ力）が小さくなってしまい、車両等が通過した際に舗装用ブロックがずれるおそれがあった。
【０００３】
また、このようなブロック舗装用強化板を用いた場合、目地部の幅が一定で、目地板の側部にも目地砂が入り込まないため、目地砂の粒径によっては、適切な位置に入り込むことができず、適切に荷重分散ができないおそれがあった。さらに、粒径の大きな目地砂が荷重により粉砕されてしまった場合、この粉砕された目地砂は荷重を受けることができなくなるとともに、この目地砂の周囲に隙間が生じてしまい、その分他の部位に荷重が集中するため、荷重分散ができないという欠点があった。
【先行技術文献】
【特許文献】
【０００４】
【特許文献１】特開平９−５３２０１号公報
【発明の概要】
【発明が解決しようとする課題】
【０００５】
本発明は以上のような従来の欠点に鑑み、大きなかみ合わせ力を得られるとともに、舗装用ブロック等にかかる荷重を適切に分散することができるブロック舗装方法、ブロック舗装構造及びブロック舗装用強化板を提供することを目的としている。
【課題を解決するための手段】
【０００６】
上記目的を達成するために、本発明の請求項１に記載のブロック舗装方法は、フィルター層の上部に路盤層を形成する路盤層形成工程と、前記路盤層を形成した後に、前記路盤層の上部にサンドクッション層を形成するサンドクッション層形成工程と、このサンドクッション層形成工程後に、前記サンドクッション層の上部にベース板及び目地板を有するブロック舗装用強化板を用いて舗装用ブロックを敷設するブロック敷設工程と、このブロック敷設工程と同時又はブロック敷設工程後に、敷設された前記舗装用ブロック間の目地部に目地砂を充填する目地砂充填工程とで構成され、前記目地板は、敷設される舗装用ブロック間の目地部の幅を所定の幅にする位置決め部と、前記目地板の側部と前記舗装用ブロックの側面の間に目地砂を充填することができるように形成された傾斜面とで構成されることを特徴とする。
【０００７】
請求項２に記載されたブロック舗装構造は、フィルター層と、該フィルター層の上部に形成された路盤層と、該路盤層の上部に形成されたサンドクッション層と、該サンドクッション層の上面に配置されたブロック舗装用強化板及び舗装用ブロックと、該舗装用ブロック間の目地部に充填された目地砂とで構成され、前記ブロック舗装用強化板はベース板と目地板を有し、該目地板は、敷設される前記舗装用ブロック間の前記目地部の幅を所定の幅にする位置決め部と、前記目地板の側部と前記舗装用ブロックの側面の間に前記目地砂を充填することができるように形成された傾斜面とで構成されることを特徴とする。
請求項３に記載されたブロック舗装用強化板は、ブロック舗装を行う際に舗装用ブロックが上面に載置されるベース板と、このベース板に立設された目地板からなるブロック舗装用強化板において、前記目地板は、敷設される前記舗装用ブロック間の目地部の幅を所定の幅にする位置決め部と、前記目地板の側部と前記舗装用ブロックの側面の間に目地砂を充填することができるように形成された傾斜面とで構成されることを特徴とする。
請求項４に記載されたブロック舗装用強化板の前記目地板は、略等脚台形状の断面形状に形成されていることを特徴とする。
【０００８】
請求項５に記載されたブロック舗装用強化板の前記目地板は、平面視において斜めに傾斜していることを特徴とする。
【０００９】
請求項６に記載されたブロック舗装用強化板の前記目地板は、平面視において略く字状に傾斜していることを特徴とする。
【発明の効果】
【００１０】
以上の説明から明らかなように、本発明にあっては次に列挙する効果が得られる。
（１）請求項１乃至請求項３に記載された各発明においては、目地板の側部と前記舗装用ブロックの側面の間に目地砂を充填することができるように傾斜面が形成されているので、目地板の側面にも目地砂を充填することができる。
したがって、舗装用ブロックや目地板の略全体にわたって目地砂と当接し、目地砂がかみ合うため、かみ合わせ力を大きくすることができ、舗装用ブロック上を車両等が通過しても舗装用ブロックがずれることを確実に防止できる。
（２）目地板に傾斜面が形成されているため、目地砂が粒径に応じて適切な位置（より狭い位置）に入り込み、適切に荷重を分散することができる。
（３）また、粒径の大きな目地砂が粉砕された場合であっても、粉砕された目地砂が適切な位置に移動し、適宜舗装用ブロック等と噛み合うため、舗装用ブロック等にかかる荷重を適切に分散させることができる。
（４）請求項４乃至請求６に記載された各発明も、前記（１）〜（３）と同様な効果が得られる。
【図面の簡単な説明】
【００１１】
図１乃至図９は本発明の第１の実施形態を示す説明図である。
図１０乃至図１３は本発明の第２の実施形態を示す説明図である。
図１４乃至図１７は本発明の第３の実施形態を示す説明図である。
図１８乃至図２１は本発明の第４の実施形態を示す説明図である。
図２２乃至図２５は本発明の第５の実施形態を示す説明図である。
【図１】第１実施形態のブロック舗装方法の工程図。
【図２】路盤層形成工程の説明図。
【図３】サンドクッション層形成工程の説明図。
【図４】ブロック敷設工程の説明図。
【図５】目地砂充填工程の説明図。
【図６】第１実施形態のブロック舗装用強化板の平面図。
【図７】図６の７−７線断面図。
【図８】ブロック舗装用強化板の斜視図。
【図９】目地砂を充填した状態を示す概略断面図。
【図１０】第２実施形態のブロック舗装方法の工程図。
【図１１】第２実施形態のブロック舗装用強化板の斜視図。
【図１２】図１１の１２−１２線断面図。
【図１３】目地砂を充填した状態を示す概略平面図。
【図１４】第３実施形態のブロック舗装方法の工程図。
【図１５】第３実施形態のブロック舗装用強化板の斜視図。
【図１６】図１５の１６−１６線断面図。
【図１７】目地砂を充填した状態を示す概略平面図。
【図１８】第４実施形態のブロック舗装方法の工程図。
【図１９】第４実施形態のブロック舗装用強化板の斜視図。
【図２０】図１９の２０−２０線断面図。
【図２１】目地砂を充填した状態を示す概略平面図。
【図２２】第５実施形態のブロック舗装方法の工程図。
【図２３】第５実施形態のブロック舗装用強化板の斜視図。
【図２４】図２３の２４−２４線断面図。
【図２５】目地砂を充填した状態を示す概略断面図。
【発明を実施するための形態】
【００１２】
以下、図面に示す本発明を実施するための形態により、本発明を詳細に説明する。
【００１３】
図１乃至図９に示す本発明を実施するための第１の形態において、１は道路等を舗装する際に用いられるブロック舗装方法である。
【００１４】
このブロック舗装方法１は、図１に示すように、フィルター層２の上部に路盤層３を形成する路盤層形成工程４と、路盤層３を形成した後、該路盤層３の上部にサンドクッション層５を形成するサンドクッション層形成工程６と、このサンドクッション層形成工程６後に、前記サンドクッション層５の上部にベース板７及び目地板８を有するブロック舗装用強化板９を用いて舗装用ブロック１０を敷設するブロック敷設工程１１と、このブロック敷設工程１１と同時又はブロック敷設工程１１後に、敷設された前記舗装用ブロック１０間の目地部１２に目地砂１３を充填する目地砂充填工程１４とで構成されている。
路盤層形成工程４は、路床や路体の上部に砂等で形成されたフィルター層２の上部に路盤層３を形成する工程である。
【００１５】
この路盤層３は、本実施形態においては、インターロッキングブロック舗装の際に用いられる岩石または玉石をクラッシャで割っただけで篩い分けをしていない砕石（クラッシャラン）を用いて形成される。
【００１６】
サンドクッション層形成工程６は、路盤層３の上部にブロック舗装用敷砂によりサンドクッション層５を形成する。ところで、このサンドクッション層５と路盤層３との間に透水性シート等を設けてもよい。
【００１７】
ブロック敷設工程１１は、本実施形態においては、このサンドクッション層５の上部に複数個のブロック舗装用強化板９を用いて透水性を有するインターロッキングブロックや平板等の舗装用ブロック１０を複数個敷設する工程である。
【００１８】
このブロック舗装用強化板９は、サンドクッション層５の上面に載置され、舗装用ブロック１０がその上面に載置される略矩形板状のベース板７と、このベース板７の上面の略中央部（中央部よりの部位を含む）に立設された目地板８からなっており、この目地板８は、舗装用ブロック１０間の目地幅を一定にする位置決め部１５と、前記目地板８の側部に設けられた目地砂１３を充填することができるように形成された傾斜面１６とで構成されている。舗装用ブロック１０は、この目地板８を介してベース板７の左右にそれぞれ載置されて敷設される。
【００１９】
なお、実施形態では、ブロック舗装用強化板９は、図７で示すように断面略上向きＴ字形状に形成され、目地板８は、下端部から上端部に至るにしたがって、両側面が傾斜面１６、１６となる先細り状となっている。
【００２０】
このベース板７は、本実施形態においては、略矩形状に形成されているが、平板状でサンドクッション層５の上面に載置でき、このベース板７の上面に舗装用ブロック１０を載置できるものであれば、任意の形状とすることができる。
また、このベース板７の上面に滑り止め等の加工を施してもよい。
【００２１】
本実施形態の目地板８は、この目地板８の下端部が位置決め部１５となっており、この部位に舗装用ブロック１０の底面側の角部が当接し、隣り合う舗装用ブロック１０間の目地部１２の幅が所定の幅、すなわち目地板８の下端部と略同寸法となり、一定となる。
また、この目地板８は、断面形状が略等脚台形状に形成されており、上下方向に傾斜する傾斜面１６を有している。
【００２２】
このような傾斜面１６を有することにより、目地板の下部は、その隙間が小さいため、細かい目地砂１３が入り込み、一方、隙間が大きい上部には、大きな目地砂１３が入り込むことで、この空間に略隙間なく目地砂１３が充填される。
そのため、目地板８と舗装用ブロック１０との間に目地砂１３が入り込まない場合に比べて摩擦力（かみ合わせ力）が大きくなり、舗装用ブロック１０がずれることを防止できる。
【００２３】
また、本実施形態においては、下方に向かって目地板８と舗装用ブロック１０との間の隙間が小さくなっていくため、荷重がかかって粉砕された目地砂１３は下方へ移動し、適宜目地板８と舗装用ブロック１０との間にかみ合い、舗装用ブロック１０等にかかる荷重を受けることができる。そのため、舗装用ブロック１０等にかかる荷重を適切に分散させることができる。
【００２４】
さらに付言すると、舗装用ブロック１０に水平方向の荷重がかかり、大きな目地砂が粉砕された場合には、その粉砕された細かい目地砂１３はより狭い（隙間が小さい）空間へと移動し、目地板８と舗装用ブロック１０の間に入り込み、摩擦力（かみ合わせ力）を維持することができるとともに、荷重分散機能を発揮することができる。
【００２５】
目地砂充填工程１４は、舗装用ブロック１０の間の目地部１２に硅砂等からなる目地砂１３を充填し、最後に表面が平らになるように、転圧をかける。このように目地砂１３を目地部１２に充填することにより、前述のように目地砂充填部１７に様々な粒径の目地砂１３が隙間なく充填され、目地砂１３と舗装用ブロック１０、ブロック舗装用強化板９の間に摩擦力が生じ、強固な舗装面となるとともに、舗装用ブロック１０等にかかる荷重を適切に分散させることができる。
【００２６】
なお、このような工程を経て形成された本発明のブロック舗装構造１７は、フィルター層２と、該フィルター層２の上部に形成された路盤層３と、該路盤層３の上部に形成されたサンドクッション層５と、該サンドクッション層５の上面に配置された複数個のブロック舗装用強化板９及び舗装用ブロック１０と、該舗装用ブロック１０間の目地部１２に充填された目地砂１３とで構成される。
【００２７】
［発明を実施するための異なる形態］
次に、図１０乃至図２５に示す本発明を実施するための異なる形態につき説明する。なお、これらの本発明を実施するための異なる形態の説明に当って、前記本発明を実施するための第１の形態と同一構成部分には同一符号を付して重複する説明を省略する。
図１０乃至図１３に示す本発明を実施するための第２の形態において、前記本発明を実施するための第１の形態と主に異なる点は、平面視斜めに傾斜する傾斜面１６Ａを有する目地板８Ａを用いたブロック舗装用強化板９Ａとし、このブロック舗装用強化板９Ａを用いてブロック敷設工程１１Ａを行うブロック舗装方法１Ａにした点で、このような構成にしても前記本発明を実施するための第１の形態と同様な作用効果が得られる。
【００２８】
付言すると、本実施形態においては、目地板８Ａは平面視斜め形状となるように構成されているので、この目地板８Ａは奥手前方向に傾斜面１６Ａを有している。
【００２９】
また、本実施形態では、位置決め部１５は、目地板８Ａの左右方向の端部となる。この目地板８Ａの左右方向の端部に隣り合う舗装用ブロック１０の側面が当接し、舗装用ブロック１０間の目地部１２を一定に保つことができる。
【００３０】
図１４乃至図１７に示す本発明を実施するための第３の形態において、前記本発明を実施するための第２の形態と主に異なる点は、平面視斜め形状となるような傾斜面１６Ａ及び上下方向にも傾斜面１６を有する目地板８Ｂを用いたブロック舗装用強化板９Ｂとし、このブロック舗装用強化板９Ｂを用いてブロック敷設工程１１Ｂを行うブロック舗装方法１Ｂにした点で、このような構成にしても前記本発明を実施するための第２の形態と同様な作用効果が得られる。
【００３１】
図１８乃至図２１に示す本発明を実施するための第４の形態において、前記本発明を実施するための第１の形態と主に異なる点は、平面視略く字状となるように前後方向に傾斜面１６Ｂを有する目地板８Ｃを用いたブロック舗装用強化板９Ｃとし、このブロック舗装用強化板９Ｃを用いてブロック敷設工程１１Ｃを行うブロック舗装方法１Ｃにした点で、このような構成にしても前記本発明を実施するための第１の形態と同様な作用効果が得られる。
【００３２】
本実施形態の位置決め部１５は、目地板８Ｃの左右方向の端部及び屈曲部となる。この目地板８Ｃの左右方向の端部及び屈曲部に隣り合う舗装用ブロック１０の側面が当接し、舗装用ブロック１０間の目地部１２を一定に保つことができる。
なお、本実施形態においても、この目地板８Ｃに上下方向にも傾斜面１６を形成してもよい。
【００３３】
図１９乃至図２２に示す本発明を実施するための第５の形態において、前記本発明を実施するための第１の形態と主に異なる点は、平面視略Ｈ形状で、上下方向に傾斜面を有する目地板８Ｄを用いたブロック舗装用強化板９Ｄとし、このブロック舗装用強化板９Ｄを用いてブロック敷設工程１１Ｄを行うブロック舗装方法１Ｄにした点で、このような構成にしても前記本発明を実施するための第１の形態と同様な作用効果が得られる。
【００３４】
本実施形態の位置決め部１５は、目地板８Ｃの前後方向に設けられた平板状の部材で、この位置決め部の左右端部に隣り合う舗装用ブロック１０の側面が当接し、舗装用ブロック１０間の目地部１２を一定に保つことができる。
【００３５】
なお、本発明のブロック舗装方法やブロック舗装用強化板は、透水性ブロックを舗装する場合、透水性を有さないブロックを舗装する場合のいずれにも用いることができる。
【産業上の利用可能性】
【００３６】
本発明はブロック舗装を行う産業で利用される。
【符号の説明】
【００３７】
１、１Ａ、１Ｂ、１Ｃ、１Ｄ：ブロック舗装方法、
２：フィルター層、                ３：路盤層、
４：路盤層形成工程、              ５：サンドクッション層、
６：サンドクッション層形成工程、  ７：ベース板、
８、８Ａ、８Ｂ、８Ｃ、８Ｄ：目地板、
９、９Ａ、９Ｂ、９Ｃ、９Ｄ：ブロック舗装用強化板、
１０：舗装用ブロック、
１１、１１Ａ、１１Ｂ、１１Ｃ、１１Ｄ：透水性ブロック敷設工程、
１２：目地部、                    １３：目地砂、
１４：目地砂充填工程、            １５：位置決め部、
１６、１６Ａ、１６Ｂ：傾斜面、    １７：ブロック舗装構造。
【図１】
2020070568.tif 000003
【図２】
2020070568.tif 000004
【図３】
2020070568.tif 000005
【図４】
2020070568.tif 000006
【図５】
2020070568.tif 000007
【図６】
2020070568.tif 000008
【図７】
2020070568.tif 000009
【図８】
2020070568.tif 000010
【図９】
2020070568.tif 000011
【図１０】
2020070568.tif 000012
【図１１】
2020070568.tif 000013
【図１２】
2020070568.tif 000014
【図１３】
2020070568.tif 000015
【図１４】
2020070568.tif 000016
【図１５】
2020070568.tif 000017
【図１６】
2020070568.tif 000018
【図１７】
2020070568.tif 000019
【図１８】
2020070568.tif 000020
【図１９】
2020070568.tif 000021
【図２０】
2020070568.tif 000022
【図２１】
2020070568.tif 000023
【図２２】
2020070568.tif 000024
【図２３】
2020070568.tif 000025
【図２４】
2020070568.tif 000026
【図２５】
2020070568.tif 000027